(57)【要約】【課題】  リモコン装置を落下時や衝突時の外力から保護し、その損傷を防止することができるリモコン装置用カバーを提供する。【解決手段】  本考案に係るリモコン装置用カバー１５は、スイッチ１０ａ〜１０ｅが設けられた操作パネル１１と、操作パネル１１の上縁部及び側縁部から前方に延在するパネルガードと、操作パネル１１の後方に膨出する膨出部１３と、膨出部１３から下方に延出する把持部１４とを有して車両又は船舶に搭載された作業機をスイッチ１０ａ〜１０ｅにより遠隔操作可能なリモコン装置９に対し、着脱可能に取り付けられるものであり、パネルガードを覆うパネルガード保護部１６と、膨出部１３を覆う膨出部保護部１７とを有する。【選択図】  図１
0003196129.tif 000002
【実用新案登録請求の範囲】
【請求項１】
スイッチが設けられた操作パネルと、該操作パネルの上縁部及び側縁部から前方に延在するパネルガードと、前記操作パネルの後方に膨出する膨出部と、該膨出部から下方に延出する把持部とを有し、車両又は船舶に搭載された作業機を前記スイッチにより遠隔操作可能なリモコン装置に対し、着脱可能に取り付けられるリモコン装置用カバーであって、
前記パネルガードを覆うパネルガード保護部と、前記膨出部を覆う膨出部保護部とを有することを特徴とするリモコン装置用カバー。
【請求項２】
前記パネルガード保護部及び前記膨出部保護部が一体に形成されていることを特徴とする請求項１に記載のリモコン装置用カバー。
【請求項３】
前記パネルガード保護部及び前記膨出部保護部が弾性体により形成されていることを特徴とする請求項１又は２に記載のリモコン装置用カバー。
【考案の詳細な説明】
【技術分野】
【０００１】
本考案は、車両又は船舶に搭載された作業機を遠隔操作可能なリモコン装置に取り付けられるリモコン装置用カバーに関する。
【背景技術】
【０００２】
従来、車両又は船舶に搭載された作業機を遠隔操作可能なリモコン装置に取り付けられるリモコン装置用カバーとして、例えば特許文献１に記載されたリモコン装置のカバーが知られている。図６及び７に示すように、このリモコン装置１は、車両に搭載されたクレーン等の作業機を遠隔操作するためのスイッチ２と、スイッチ２が設けられた操作パネル３と、操作パネル３の上縁部３ａ、側縁部３ｂ，３ｂ及び下縁部３ｃから前方に延在するパネルガード４と、操作パネル３の後方に膨出して基板等を内蔵する膨出部５と、膨出部５から下方に延出する把持部６とを有し、パネルガード４の前面には、透明なビニール等からなり塗料等の飛散物に対してスイッチ２や操作パネル３の汚れを防止するカバー７が、両面テープ８により貼付されている。
【先行技術文献】
【特許文献】
【０００３】
【特許文献１】実用新案登録第２５７５２６０号公報
【考案の概要】
【考案が解決しようとする課題】
【０００４】
ところで、上記のようなリモコン装置は、建設現場等の工事現場で作業者が持ち歩くことが多く、その際に落としたり硬い物にぶつけたりして、筐体（特許文献１におけるケース２）にクラックや欠けが生じることがある。特に、落下時には把持部の側よりも相対的に重いパネルガードや膨出部の側から地面や床面に当たり、そこに大きな外力が加わるから、たとえスイッチはパネルガードに保護されて破損を回避し得るとしても、パネルガードや膨出部が割れてそこから筐体内部に雨水等が浸水し、基板等が壊れてリモコン装置が使えなくなるという問題があった。
【０００５】
特許文献１に記載されたカバー７は、スイッチ２や操作パネル３の汚れを防止するには有効であるが、パネルガード４の前面に両面テープ８で貼付されているだけであるから、作業者がリモコン装置１を落としたりぶつけたりした場合にはリモコン装置１から外れるおそれがあるし、そもそも筐体の前面以外が受ける外力に対しては、何ら緩衝することができない。
【０００６】
本考案は、上記の事情に鑑みてなされたもので、リモコン装置を落下時や衝突時の外力から保護し、その損傷を防止することができるリモコン装置用カバーを提供することを課題としている。
【課題を解決するための手段】
【０００７】
上記課題を解決するために、本考案は、スイッチが設けられた操作パネルと、該操作パネルの上縁部及び側縁部から前方に延在するパネルガードと、前記操作パネルの後方に膨出する膨出部と、該膨出部から下方に延出する把持部とを有し、車両又は船舶に搭載された作業機を前記スイッチにより遠隔操作可能なリモコン装置に対し、着脱可能に取り付けられるリモコン装置用カバーであって、前記パネルガードを覆うパネルガード保護部と、前記膨出部を覆う膨出部保護部とを有することを特徴とする。
【０００８】
前記パネルガード保護部及び前記膨出部保護部は一体に形成されていることが望ましく、弾性体により形成されていることが望ましい。
【０００９】
本考案によれば、リモコン装置に対して着脱可能に取り付けられるリモコン装置用カバーが、パネルガードを覆うパネルガード保護部と膨出部を覆う膨出部保護部とを有するので、このリモコン装置用カバーをリモコン装置に取り付けることにより、リモコン装置を落下時や衝突時の外力から保護し、その損傷を防止することができる。
【００１０】
また、操作パネルに対して前方に延在するパネルガードを覆うパネルガード保護部と、操作パネルに対して後方に膨出する膨出部を覆う膨出部保護部とが一体に形成されていれば、パネルガード保護部と膨出部保護部とがリモコン装置を前後から挟み込んだ状態でリモコン装置に密着することになり、落下時や衝突時にリモコン装置用カバーをリモコン装置から外れにくくすることができる。
【００１１】
さらに、パネルガード保護部と膨出部保護部とが弾性体により形成されていれば、パネルガードや膨出部に伝わる落下時や衝突時の衝撃を有効に緩衝することができるとともに、パネルガード保護部や膨出部保護部が落下時や衝突時に破損しにくくなるので、万一、落下時や衝突時にパネルガードや膨出部にクラックが入ったとしても、その後の筐体内部への雨水等の浸水を防止することができる。
【考案の効果】
【００１２】
本考案によれば、リモコン装置を落下時や衝突時の外力から保護し、その損傷を防止することができる。
【図面の簡単な説明】
【００１３】
【図１】考案を実施するための形態に係るリモコン装置用カバーと、これが取り付けられたリモコン装置を示す説明図である。
【図２】図１のリモコン装置を示し、（ａ）は上方側、前方側から見た斜視図、（ｂ）は下方側、後方側から見た斜視図である。
【図３】図１のリモコン装置用カバーを示し、（ａ）は下方側、前方側から見た斜視図、（ｂ）は（ａ）のＡ−Ａ線に沿った断面図である。
【図４】考案を実施するための形態に係る他のリモコン装置用カバーと、これが取り付けられたリモコン装置を示す説明図である。
【図５】図４のリモコン装置用カバーを示し、（ａ）は下方側、前方側から見た斜視図、（ｂ）は（ａ）のＢ−Ｂ線に沿った断面図である。   Ａ−Ａ線に沿った断面を拡大して示す説明図である。
【図６】従来のカバー付きリモコン装置を示す側面図である。
【図７】図６のカバー付きリモコン装置を示す平面図である。
【考案を実施するための形態】
【００１４】
本考案を実施するための形態について、図面を用いて説明する。
【００１５】
図１は、本考案に係るリモコン装置用カバーが着脱自在に取り付けられたリモコン装置を示し、図２はそのリモコン装置を、図３はそのリモコン装置用カバーを示す。
【００１６】
リモコン装置９は、図示を略す車両に搭載されたクレーン等の作業機を遠隔操作するためのスイッチ１０ａ〜１０ｅと、スイッチ１０ａ〜１０ｅが設けられた操作パネル１１と、操作パネル１１の上縁部１１ａ及び側縁部１１ｂ，１１ｂから前方に延在するパネルガード１２と、操作パネル１１の後方に膨出して図示を略す基板等を内蔵する膨出部１３と、膨出部１３から下方に延出する把持部１４とを有する。
【００１７】
スイッチ１０ａ〜１０ｅ、操作パネル１１、パネルガード１２、膨出部１３及び把持部１４は、いずれも樹脂製の外装を有し、図示を略すネジ等により組み付けられている。パネルガード１２は、スイッチ１０ａ〜１０ｅよりも前方に突出し、操作パネル１１が下向きの状態でリモコン装置９が工事現場に置かれる場合等に、その載置面等にパネルガード１２が接触し、スイッチ１０ａ〜１０ｅが直接接触しないようになっている。
【００１８】
リモコン装置用カバー１５は、パネルガード保護部１６と、膨出部保護部１７とを有し、これらがゴム等の弾性体により一体成型されて構成されている。
【００１９】
パネルガード保護部１６は、パネルガード１２が嵌合する断面凹状の溝部１６ａを有し（図３（ｂ）参照）、カバー１５がリモコン装置９に取り付けられた状態で、操作パネル１１の上方、左方及び右方を囲うようにパネルガード１２を略全面的に覆う。
【００２０】
膨出部保護部１７は、膨出部１３の上面１３ａを覆う上壁部１７ａと、膨出部１３の側面１３ｂ，１３ｂを覆う側壁部１７ｂ，１７ｂと、膨出部１３の後面１３ｃを覆う後壁部１７ｃとを有し、カバー１５がリモコン装置９に取り付けられた状態で、膨出部１３を上方、左方、右方及び後方から囲うように覆う一方、膨出部１３の下面１３ｄについては、把持部１４との干渉防止、並びに、カバー１５のリモコン装置９に対する装着状態維持及び着脱容易のために、その下面１３ｄの縁部を除いて覆わない。
【００２１】
この実施の形態に係るリモコン装置用カバー１５は、パネルガード１２を覆うパネルガード保護部１６と膨出部１３を覆う膨出部保護部１７とを有するので、これをリモコン装置９に取り付けることにより、リモコン装置９を落下時や衝突時の外力から保護し、その損傷を防止することができる。
【００２２】
また、パネルガード１２を前方側から覆うパネルガード保護部１６と、膨出部１３を後方側から覆う膨出部保護部１７とが一体に形成されているので、パネルガード保護部１６と膨出部保護部１７とがリモコン装置９を前後から挟み込んだ状態でリモコン装置９に密着することになり、リモコン装置用カバー１５が落下時や衝突時にリモコン装置９から外れにくくなっている。
【００２３】
さらに、パネルガード保護部１６と膨出部保護部１７とが弾性体により形成されているので、パネルガード１２や膨出部１３に伝わる落下時や衝突時の衝撃を有効に緩衝することができるとともに、パネルガード保護部１６や膨出部保護部１７が落下時や衝突時に破損しにくくなるので、万一、落下時や衝突時にパネルガード１２や膨出部１３にクラックが入ったとしても、その後の筐体内部への雨水等の浸水を防止することができる。
【００２４】
以上、本考案を実施するための形態について例示したが、本考案の実施形態は上述したものに限られず、考案の趣旨を逸脱しない範囲で適宜変更等してもよい。例えば、図４及び５に示すように、リモコン装置用カバーはリモコン装置の形状に合わせて適宜な形状を採ればよく（図４及び５の各部には、スイッチに符号１０を付したほかは、図１乃至３の対応する部分と同一の符号を付している。）、リモコン装置用カバーに色彩等のデザインを施して、リモコン装置の美感を向上させることとしてもよい。
【産業上の利用可能性】
【００２５】
本考案は、車両に搭載された作業機を遠隔操作するためのリモコン装置のカバーのみならず、船舶に搭載された作業機を遠隔操作するためのリモコン装置のカバーにも利用することができる。
【符号の説明】
【００２６】
９      リモコン装置
１０ａ〜１０ｅ  スイッチ
１１    操作パネル
１１ａ  上縁部
１１ｂ  側縁部
１２    パネルガード
１３    膨出部
１４    把持部
１５    リモコン装置用カバー
１６    パネルガード保護部
１７    膨出部保護部
【図１】
0003196129.tif 000003
【図２】
0003196129.tif 000004
【図３】
0003196129.tif 000005
【図４】
0003196129.tif 000006
【図５】
0003196129.tif 000007
【図６】
0003196129.tif 000008
【図７】
0003196129.tif 000009